【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
動画を撮影する撮影手段と、
撮影された前記動画を構成する画像信号から被写体の予め定められた特徴部分を検出する特徴検出手段と、
撮影された前記動画の撮影状態を評価して評価結果を得る状態評価手段と、
前記特徴部分に対する前記評価結果を他の部分に対する前記評価結果よりも優先して用いて前記撮影手段を制御する制御手段とを備え、
前記制御手段は、前記特徴検出手段によって前記特徴部分が複数検出された場合には、検出されている時間の長い前記特徴部分の評価結果を優先して用いて前記撮影手段の制御を行うことを特徴とする撮影装置。
【請求項２】
前記制御手段は、前記撮影手段の焦点および露出の少なくともいずれかを制御することを特徴とする請求項１記載の撮影装置。
【請求項３】
前記制御手段は、検出されている時間の長い前記特徴部分の評価結果を優先する際に、前記特徴部分の大きさと、前記特徴部分の中心から前記画像の中心までの近さのいずれか、もしくは全てを含めて前記特徴部分の評価結果に対する優先度付けを行うことを特徴とする請求項１または２に記載の撮影装置。
【請求項４】
動画を構成する画像信号から被写体の予め定められた特徴部分を検出する特徴検出手段と、
前記動画に図形を描画する描画手段と、
検出された前記特徴部分に対して前記図形を描画するよう前記描画手段を制御する制御手段とを備え、
前記制御手段は、前記特徴検出手段によって前記特徴部分が複数検出された場合には、検出されている時間の長さに応じて、前記特徴部分に対する前記図形を描画するよう前記描画手段を制御することを特徴とする画像処理装置。
【請求項５】
前記制御手段は、検出されている時間の最も長い前記特徴部分に対して、他の前記特徴部分と異なる前記図形を描画するよう前記描画手段を制御することを特徴とする請求項４記載の画像処理装置。
【請求項６】
前記制御手段は、前記特徴部分を囲む矩形の枠を描画するよう前記描画手段を制御することを特徴とする請求項４または５に記載の画像処理装置。
【請求項７】
前記制御手段は、検出されている時間の長い前記特徴部分を優先する際に、前記特徴部分の大きさと、前記特徴部分の中心から前記画像の中心までの近さのいずれか、もしくは全てを含めて前記特徴部分に対する優先度付けを行うことを特徴とする請求項４乃至６のいずれか一項に記載の画像処理装置。
【請求項８】
動画を構成する画像信号から被写体の予め定められた特徴部分を検出する特徴検出手段と、
前記動画の状態を評価して評価結果を得る状態評価手段と、
前記動画に対して画像処理を行う画像処理手段と、
前記特徴部分に対する前記評価結果を他の部分に対する前記評価結果よりも優先して用いて前記画像処理手段を制御する制御手段とを備え、
前記制御手段は、前記特徴検出手段によって前記特徴部分が複数検出された場合には、検出されている時間の長い前記特徴部分の評価結果を優先して用いて前記画像処理手段の制御を行うことを特徴とする画像処理装置。
【請求項９】
前記制御手段は、検出されている時間の長い前記特徴部分の評価結果を優先する際に、前記特徴部分の大きさと、前記特徴部分の中心から前記画像の中心までの近さのいずれか、もしくは全てを含めて前記特徴部分の評価結果に対する優先度付けを行うことを特徴とする請求項８記載の画像処理装置。
【請求項１０】
撮影手段にて撮影した動画を構成する画像信号から被写体の予め定められた特徴部分を検出し、撮影された前記動画の撮影状態を評価して評価結果を得て、前記特徴部分に対する前記評価結果を他の部分に対する前記評価結果よりも優先して用いて前記撮影手段を制御する撮像装置の制御方法であって、
前記特徴部分が複数検出された場合には、検出されている時間の長い前記特徴部分の評価結果を優先して用いて前記撮影手段の制御を行うことを特徴とする撮影装置の制御方法。
【請求項１１】
動画を構成する画像信号から被写体の予め定められた特徴部分を検出し、前記動画で検出された前記特徴部分に対して図形を描画する画像処理装置の制御方法であって、
前記特徴部分が複数検出された場合には、検出されている時間の長さに応じて、前記特徴部分に対する前記図形を描画することを特徴とする画像処理装置の制御方法。
【請求項１２】
動画を構成する画像信号から被写体の予め定められた特徴部分を検出し、前記動画の状態を評価して評価結果を得て、前記特徴部分に対する前記評価結果を他の部分に対する前記評価結果よりも優先して用いて前記動画に画像処理を行う画像処理装置の制御方法であって、
前記特徴部分が複数検出された場合には、検出されている時間の長い前記特徴部分の評価結果を優先して用いて前記画像処理を行うことを特徴とする画像処理装置の制御方法。
【手続補正２】
【補正対象書類名】明細書
【補正対象項目名】発明の名称
【補正方法】変更
【補正の内容】
【発明の名称】撮影装置及びその制御方法、並びに画像処理装置及びその制御方法
【手続補正３】
【補正対象書類名】明細書
【補正対象項目名】０００１
【補正方法】変更
【補正の内容】
【０００１】
本発明は、ビデオカメラなどの撮影装置及び画像処理装置に関し、より具体的には、被写体を認識してカメラ制御を行う撮影装置及びその制御方法、並びに画像処理装置及びその制御方法に関する。
【手続補正４】
【補正対象書類名】明細書
【補正対象項目名】００１１
【補正方法】変更
【補正の内容】
【００１１】
本発明の目的は、検出された複数の被写体の中から、優先すべき被写体をより適切に自動選択することができる撮影装置及びその制御方法、並びに画像処理装置及びその制御方法を提供することにある。
【手続補正５】
【補正対象書類名】明細書
【補正対象項目名】００１２
【補正方法】変更
【補正の内容】
【００１２】
上記目的を達成するために、請求項１記載の撮影装置は、動画を撮影する撮影手段と、撮影された前記動画を構成する画像信号から被写体の予め定められた特徴部分を検出する特徴検出手段と、撮影された前記動画の撮影状態を評価して評価結果を得る状態評価手段と、前記特徴部分に対する前記評価結果を他の部分に対する前記評価結果よりも優先して用いて前記撮影手段を制御する制御手段とを備え、前記制御手段は、前記特徴検出手段によって前記特徴部分が複数検出された場合には、検出されている時間の長い前記特徴部分の評価結果を優先して用いて前記撮影手段の制御を行うことを特徴とする。
【手続補正６】
【補正対象書類名】明細書
【補正対象項目名】００１３
【補正方法】変更
【補正の内容】
【００１３】
請求項４記載の画像処理装置は、動画を構成する画像信号から被写体の予め定められた特徴部分を検出する特徴検出手段と、前記動画に図形を描画する描画手段と、検出された前記特徴部分に対して前記図形を描画するよう前記描画手段を制御する制御手段とを備え、前記制御手段は、前記特徴検出手段によって前記特徴部分が複数検出された場合には、検出されている時間の長さに応じて、前記特徴部分に対する前記図形を描画するよう前記描画手段を制御することを特徴とする。
【手続補正７】
【補正対象書類名】明細書
【補正対象項目名】００１４
【補正方法】変更
【補正の内容】
【００１４】
請求項８記載の画像処理装置は、動画を構成する画像信号から被写体の予め定められた特徴部分を検出する特徴検出手段と、前記動画の状態を評価して評価結果を得る状態評価手段と、前記動画に対して画像処理を行う画像処理手段と、前記特徴部分に対する前記評価結果を他の部分に対する前記評価結果よりも優先して用いて前記画像処理手段を制御する制御手段とを備え、前記制御手段は、前記特徴検出手段によって前記特徴部分が複数検出された場合には、検出されている時間の長い前記特徴部分の評価結果を優先して用いて前記画像処理手段の制御を行うことを特徴とする。
請求項１０記載の撮影装置の制御方法は、撮影手段にて撮影した動画を構成する画像信号から被写体の予め定められた特徴部分を検出し、撮影された前記動画の撮影状態を評価して評価結果を得て、前記特徴部分に対する前記評価結果を他の部分に対する前記評価結果よりも優先して用いて前記撮影手段を制御する撮像装置の制御方法であって、前記特徴部分が複数検出された場合には、検出されている時間の長い前記特徴部分の評価結果を優先して用いて前記撮影手段の制御を行うことを特徴とする。
請求項１１記載の画像処理装置の制御方法は、動画を構成する画像信号から被写体の予め定められた特徴部分を検出し、前記動画で検出された前記特徴部分に対して図形を描画する画像処理装置の制御方法であって、
前記特徴部分が複数検出された場合には、検出されている時間の長さに応じて、前記特徴部分に対する前記図形を描画することを特徴とする。
請求項１２記載の画像処理装置の制御方法は、動画を構成する画像信号から被写体の予め定められた特徴部分を検出し、前記動画の状態を評価して評価結果を得て、前記特徴部分に対する前記評価結果を他の部分に対する前記評価結果よりも優先して用いて前記動画に画像処理を行う画像処理装置の制御方法であって、前記特徴部分が複数検出された場合には、検出されている時間の長い前記特徴部分の評価結果を優先して用いて前記画像処理を行うことを特徴とする。
【手続補正８】
【補正対象書類名】明細書
【補正対象項目名】００１６
【補正方法】変更
【補正の内容】
【００１６】
請求項４記載の発明によれば、検出された複数の被写体の中から、装置がどの被写体を優先しているかを容易に知ることができる。
【手続補正９】
【補正対象書類名】明細書
【補正対象項目名】００１７
【補正方法】変更
【補正の内容】
【００１７】
請求項８記載の発明によれば、検出された複数の被写体の中から、より適切に自動選択された被写体に対して適切な画像処理制御を行うことができる。
【手続補正１０】
【補正対象書類名】明細書
【補正対象項目名】００５７
【補正方法】変更
【補正の内容】
【００５７】
ＣＰＵ１０１は、ＲＡＭ１０２に被写体リストを格納しており、特徴検出部１２５の検出結果から上記被写体リストを更新する。ＣＰＵ１０１は、人物２１０の顔部分に対するフォーカス、露出の評価結果をフォーカス評価部１２３及び露出評価部１２４より得る。そして、それを基に、レンズドライバ１１２とＡＦＥ１１４とを制御してフォーカスと露出（絞り量とシャッター速度）の調整を行う。人物２１０の顔部分に対する検出枠２１１を描画し、画像信号に重畳して出力させる。